(57)【要約】【課題】演出用の照明を簡易に設定することができる照明器具、照明システム及び照明制御方法を提供する。【解決手段】照明器具１は、異なる複数の色の光を発することが可能な光源５と、光源５が発する光の色を制御する制御部６と、光源５が発する光の色を入力する操作パネル７と、外部機器から、第１情報を取得する取得部６４とを備える。また、制御部６は、操作パネル７から入力された、光源５が発する光の色を示す第２情報を格納する。そして、制御部６は、第２情報が示す光の色に第１情報が示す光の色を混色して第３情報を生成し、第３情報を用いて光源５を発光させる。【選択図】図９
2019160704.tif 000002
【特許請求の範囲】
【請求項１】
演出照明を行う照明器具であって、
異なる複数の色の光を発することが可能な光源と、
前記光源が発する光の色を制御する制御部と、
前記光源が発する光の色を入力する入力部と、
外部機器から、第１情報を取得する取得部とを備え、
前記制御部は、
前記入力部から入力された、前記光源が発する光の色を示す第２情報を格納し、
前記第２情報が示す光の色に前記第１情報が示す光の色を混色して第３情報を生成し、前記第３情報を用いて前記光源を発光させる
照明器具。
【請求項２】
前記入力部は、前記光源を複数の色の光で発光させるために使用者が操作する、前記複数の色に一対一で対応した複数のボタンを含み、
前記制御部は、前記色と前記ボタンが選択された順番とを紐付けた前記第２情報を格納する
請求項１に記載の照明器具。
【請求項３】
前記第２情報は、前記光源が発する光の色を示すｘ個の点で構成され、
前記制御部は、前記第２情報が示す光の色に前記第１情報が示す光の色を混色した場合に、前記第２情報が示すｘ個の点のうちの少なくとも一部の点の位置を変えた第３情報を生成する
請求項１又は２に記載の照明器具。
【請求項４】
前記第２情報は、前記光源が発する光の色を示すｘ個の点で構成され、
前記制御部は、前記第２情報が示す光の色に前記第１情報が示す光の色を混色した場合に、前記第２情報が示すｘ個の点の数を変えた第３情報を生成する
請求項１又は２に記載の照明器具。
【請求項５】
前記第１情報は、天候及び季節に予め対応付けた前記光の色を示す情報である
請求項１〜４のいずれか１項に記載の照明器具。
【請求項６】
複数の、請求項１〜５のいずれか１項に記載の照明器具と、
複数の前記照明器具を制御する制御端末とを備えた
照明システム。
【請求項７】
前記制御端末は、前記第１情報を前記照明器具に対して送信する
請求項６に記載の照明システム。
【請求項８】
演出照明を行う照明制御方法であって、
光源が発する光の色を入力する工程と、
外部機器から、第１情報を取得する工程と、
入力された前記光源が発する光の色を示す第２情報を格納する工程と、
前記第２情報が示す光の色に前記第１情報が示す光の色を混色して第３情報を生成する工程と、
前記第３情報を用いて前記光源を発光させる工程とを含む
照明制御方法。
【発明の詳細な説明】
【技術分野】
【０００１】
本開示は、照明器具、照明システム及び照明制御方法に関する。
【背景技術】
【０００２】
従来から、照明器具が発する光の演出として、部屋の照明状態を人間の感性に合致した演出を行うといったことが一般的に行われている。照明器具は、制御端末から受信する情報を用いて、情報が示す光の色を再現するように点灯する。例えば、演色性と光度とに関する情報である演色光度情報を記憶し、演色光度情報を照明器具に供給し、演色性分布と光度分布とが異なる複数種類の照明を行わせる制御部とを備える照明システムが開示されている。
【先行技術文献】
【特許文献】
【０００３】
【特許文献１】特開２００６−２８６４２８号公報
【発明の概要】
【発明が解決しようとする課題】
【０００４】
従来の照明システムでは、照明状態を実現するに際し、より簡易に設定を行いたいという要望がある。
【０００５】
そこで、本開示は、演出用の照明を簡易に設定することができる照明器具、照明システム及び照明制御方法を提供することを目的とする。
【課題を解決するための手段】
【０００６】
上記目的を達成するため、本開示の一態様に係る照明器具は、演出照明を行う照明器具であって、異なる複数の色の光を発することが可能な光源と、前記光源が発する光の色を制御する制御部と、前記光源が発する光の色を入力する入力部と、外部機器から、第１情報を取得する取得部とを備え、前記制御部は、前記入力部から入力された、前記光源が発する光の色を示す第２情報を格納し、前記第２情報が示す光の色に前記第１情報が示す光の色を混色して第３情報を生成し、前記第３情報を用いて前記光源を発光させる。
【０００７】
上記目的を達成するため、本開示の一態様に係る照明システムは、複数の照明器具と、前記複数の照明器具を制御する制御端末とを備える。
【０００８】
上記目的を達成するため、本開示の一態様に係る照明制御方法は、演出照明を行う照明制御方法であって、光源が発する光の色を入力する工程と、外部機器から、第１情報を取得する工程と、入力された前記光源が発する光の色を示す第２情報を格納する工程と、前記第２情報が示す光の色に前記第１情報が示す光の色を混色して第３情報を生成する工程と、前記第３情報を用いて前記光源を発光させる工程とを含む。
【発明の効果】
【０００９】
本開示によれば、演出用の照明を簡易に設定することができる。
【図面の簡単な説明】
【００１０】
【図１】図１は、実施の形態に係る照明システムを示すブロック図である。
【図２】図２は、実施の形態に係る照明器具を示す斜視図である。
【図３】図３は、図２のＩＩＩ−ＩＩＩ線における実施の形態に係る照明器具を示す断面図である。
【図４】図４は、実施の形態に係る照明器具を示すブロック図である。
【図５】図５は、実施の形態に係る照明器具の操作パネル及び第１点灯ボタン〜第７点灯ボタンに対応する光の色を示す模式図である。
【図６Ａ】図６Ａは、第３情報の生成を例示した説明図である。
【図６Ｂ】図６Ｂは、第３情報の生成を例示した説明図である。
【図７】図７は、第２情報から紫色の光をキャンセルした場合を例示した説明図である。
【図８】図８は、実施の形態に係る照明器具により第２情報を生成する動作を示すフロー図である。
【図９】図９は、実施の形態に係る照明器具により第３情報を生成する動作を示すフロー図である。
【図１０】図１０は、変形例に係る照明システムを示すブロック図である。
【図１１】図１１は、変形例に係る照明システムを示すブロック図である。
【発明を実施するための形態】
【００１１】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、「略＊＊」との記載は、「略平行」を例に挙げて説明すると、完全な平行はもとより、実質的に平行と認められるものを含む意図である。例に挙げて説明すると、「＊＊」と平行又は「＊＊」に対して数度傾斜した直線を含む意図である。
【００１３】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１４】
以下、本開示の実施の形態に係る照明器具、照明システム及び照明制御方法について説明する。
【００１５】
（実施の形態）
［構成］
図１は、実施の形態に係る照明システム１０を示すブロック図である。
【００１６】
照明システム１０は、制御端末１６０と、電源盤１４０と、オプションボックス１５０と、複数の照明器具１とを有する。
【００１７】
制御端末１６０は、オプションボックス１５０及びジョイントボックス１３０等を介して、複数の照明器具１と電気的に接続され、複数の照明器具１を個別に又は一括に制御することが可能な端末である。制御端末１６０は、外部から入力される調光信号を受付ける。つまり、制御端末１６０は、ユーザが操作を受付ける操作卓と、各々の照明器具１の調光及び調色を制御する制御信号を、各々の照明器具１に出力する制御回路とを有する。制御信号は、ＤＭＸなどの規格化された通信プロトコルの信号であってもよく、調光比に応じて異なるデューティ比を有するＰＷＭ（Ｐｕｌｓｅ  Ｗｉｔｈ  Ｍｏｄｕｌａｔｉｏｎ）信号であってもよい。また、制御端末１６０は、他の機器から制御信号を取得して、取得した制御信号を各々の照明器具１に出力してもよい。
【００１８】
電源盤１４０は、商用の交流電源から供給される交流電力を直流電力に変換するように構成される。電源盤１４０は、ジョイントボックス１３０を介して、各々の照明器具１に電力を供給する。
【００１９】
オプションボックス１５０は、各々の照明器具１に第１情報を送信する装置である。例えば、オプションボックス１５０は、雨、風、晴れ、曇り、雪等の天候を検知する気象センサ、日時を計測する計時部等を有し、周囲の天候を検知したり、季節を算出したりする。具体的には、オプションボックス１５０は、雨、風、晴れ、曇り、雪等の天候を検知したり、春、夏、秋、冬といった季節を算出したりする。オプションボックス１５０は、外部装置の一例である。例えば、雨が降っている場合、風が吹いている場合だけ、オプションボックス１５０は、各々の照明器具１に第１情報を送信する。
【００２０】
オプションボックス１５０は、天候及び気候と光源５が発する光の色とを対応付けたテーブルを有する。そして、オプションボックス１５０は、テーブルに基づいて、気象センサで検知した天候及び計時部で算出した気候に対応した光源５が発する光の色を示す第１情報を生成し、第１情報を各々の照明器具１に出力する。第１情報は、天候及び季節に予め対応付けた光の色を示す情報である。なお、第１情報は、天候及び季節に限定されず、例えば、湿度、気温に対応付けられた光の色を示す情報を保有していてもよい。
【００２１】
オプションボックス１５０は、制御端末１６０とジョイントボックス１３０とに電気的に接続されている。また、オプションボックス１５０には、商用の交流電源から電力が供給される。
【００２２】
なお、オプションボックス１５０は、他の照明器具から他の照明器具の点灯態様を示す第１情報を取得し、取得した第１情報を各々の照明器具１に出力してもよい。また、オプションボックス１５０には、第１情報を生成することが可能な操作部を有していてもよい。さらに、オプションボックス１５０は、温度センサ、湿度センサ等を有していてもよい。
【００２３】
各々の照明器具１は、所定期間ごとに異なる複数の色の光を発することで、演出照明を行うことができる器具である。照明器具１は、例えば、投光器、ダウンライト等である。照明器具１は、例えば施設等の造営材に取り付けられる。各々の照明器具１は、１以上のジョイントボックス１３０を介して、制御端末１６０と電源盤１４０と接続されている。
【００２４】
以下、各々の照明器具１は、同様の構成であるため、特に言及しない限りは、１つの照明器具１の構成について説明する。
【００２５】
図２は、実施の形態に係る照明器具１を示す斜視図である。図３は、図２のＩＩＩ−ＩＩＩ線における実施の形態に係る照明器具１を示す断面図である。
【００２６】
図２及び図３に示すように、照明器具１が出射する光の出射方向をＸ軸プラス方向と規定し、第１点灯ボタン７１に対する明るさボタン１７４に向かう方向をＹ軸プラス方向と規定し、光源５に対する操作パネル７の方向をＺ軸プラス方向と規定し、Ｘ、Ｙ、Ｚの各方向を表示する。図２に示す各方向は、図３に示す各方向に対応させて表示する。Ｘ、Ｙ、Ｚの各方向を表示していない図を除き、図３以降の図においても、同様である。
【００２７】
照明器具１は、筐体３と、取付フレーム４と、光源５と、制御部６と、操作パネル７と、透光パネル８と、電源部とを備える。
【００２８】
筐体３は、直方体状の箱体である。筐体３は、光源５、制御部６、操作パネル７、及び、電源部を収容している。筐体３は、Ｘ軸プラス方向側に光源５を配置し、Ｚ軸プラス方向側に操作パネル７を配置している。また、筐体３は、光源５のさらにＸ軸プラス方向側に透光パネル８を配置している。
【００２９】
取付フレーム４は、照明器具１を造営材に取り付けるための部材である。取付フレーム４は、照明器具１をＸ軸プラス方向から見てＵ字型である。取付フレーム４は、筐体３のＹ軸方向における両側から、筐体３を挟むように筐体３に固定されている。取付フレーム４は、筐体３に対して回動可能である。例えば、取付フレーム４が造営材に固定されている場合、筐体３が取付フレーム４に対して回動する。これにより、照明器具１が照射する光の向きを変えることができる。
【００３０】
光源５は、異なる複数の色の光を発することが可能であり、赤色光、黄色光、緑色光、水色光、青色光、紫色光、白色光等の光を発することが可能なモジュールである。光源５は、基板５１と、複数の発光素子５２とを有する。
【００３１】
基板５１は、発光素子５２を実装するための実装基板であって、例えばセラミックス基板、樹脂基板又は絶縁被覆されたメタルベース基板などである。本実施の形態では、ＬＴＣＣ（Ｌｏｗ  Ｔｅｍｐｅｒａｔｕｒｅ  Ｃｏ−ｆｉｒｅｄ  Ｃｅｒａｍｉｃｓ）のパッケージ基板である。また、基板５１は、例えば平面視において矩形である平面を有する板状である。
【００３２】
基板５１は、複数の発光素子５２を実装している。基板５１は、筐体３のＸ軸プラス方向側の面において、Ｙ軸方向及びＺ軸方向で規定される平面に対して略平行となる姿勢で、筐体３に固定されている。
【００３３】
発光素子５２は、照明器具１の出射光となる光を出射する素子である。本実施の形態では、発光素子５２は、ＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。複数の発光素子５２は、赤色ＬＥＤチップ、緑色ＬＥＤチップ及び青色ＬＥＤチップからなる。赤色ＬＥＤチップ、緑色ＬＥＤチップ及び青色ＬＥＤチップの光色を組み合わせることで、異なる光色の光を発することが可能となる。発光素子５２は、例えば、ＣＯＢ（Ｃｈｉｐ  Ｏｎ  Ｂｏａｒｄ）型ＬＥＤで構成され、基板５１上に実装されたＬＥＤチップである。
【００３４】
本実施の形態では、複数の発光素子５２は、Ｘ軸プラス方向に光を発する姿勢で、基板５１に実装されている。なお、複数の発光素子５２の姿勢は、取付フレーム４に対する筐体３の姿勢で変化するため、本実施の形態に限定されない。
【００３５】
図４は、実施の形態に係る照明器具１を示すブロック図である。
【００３６】
図４に示すように、制御部６は、情報処理部６１と、記憶部６２と、エフェクト制御部６３と、取得部６４とを有する。
【００３７】
情報処理部６１は、ユーザによる操作パネル７からの操作を受付けるたびに、点灯ボタンに対応する光の色と点灯ボタンが選択された順番とを紐付けた第２情報を生成し、生成した第２情報を記憶部６２に格納する。言い換えれば、情報処理部６１は、操作パネル７から操作を受けた場合に、各々の操作パネル７に対して割り当てられた光源５が発する光の色と各々の操作パネル７が選択された順番とを紐付け、操作を受付けるたびに操作を受けた順番を、記憶部６２に格納する。例えば、情報処理部６１は、赤色、及び紫色のこの順番に点灯ボタンを選択した場合、赤色の光、及び紫色の光のこの順番で、光源５を点灯させるための第２情報を記憶部６２に格納する。
【００３８】
また、発光素子５２が赤色の光、及び紫色の光のこの順番で繰り返し点灯している場合、まだ選択されていない、例えば新たな緑色の点灯ボタンが選択されれば、最後に選択された紫色の点灯ボタンの順番の、直後の順番が、緑色の点灯ボタンに対応する光の色に割り当てられる。そして、発光素子５２は、赤色の光、紫色の光、及び緑色の光のこの順番で繰り返し点灯する。点灯ボタンは、ボタンの一例である。
【００３９】
第２情報は、複数の点灯ボタンが選択された順番を、複数の点灯ボタンに対応する複数の色の順番として示すパラメータを含む。第２情報は、例えば、発光素子５２を赤色の光、紫色の光、及び緑色の光のこの順番で繰り返し点灯させるための情報である。このような光の色が選択された順番を１サイクルとする。
【００４０】
また、第２情報は、選択された光の色を、選択された順番で点灯制御させるだけでなく、光源５の発する、光の明るさ、光の色あい、光の鮮やかさ及び移行期間で点灯制御するパラメータを含む。選択された光の色は、選択された点灯ボタンに対応する光の色である。選択された点灯ボタンとは点灯ボタンが押下されることを意味し、点灯ボタンに対応する色の光を光源５が発する。
【００４１】
情報処理部６１は、点灯ボタンが押下されると、すでに選択された点灯ボタンと同一か否かを判断する。情報処理部６１は、すでに選択されている点灯ボタンと同一である場合、記憶部６２で記憶している該当する点灯ボタンをキャンセルする。点灯ボタンのキャンセルについては後述する。
【００４２】
図５は、実施の形態に係る照明器具１の操作パネル７及び第１点灯ボタン７１〜第７点灯ボタン７７に対応する光の色を示す模式図である。
【００４３】
図５に示すように、情報処理部６１は、選択された点灯ボタンの順番ｎが上限ｍ以下であるか否かを判断する。情報処理部６１は、選択された点灯ボタンごとに順番ｎを紐付ける。例えば、後述する点灯ボタンである第１点灯ボタン７１、第６点灯ボタン７６、及び、第３点灯ボタン７３がこの順で選択されると、情報処理部６１は、第１点灯ボタン７１に対応する赤色光に順番ｎ＝１を紐付け、第６点灯ボタン７６に対応する紫色光に順番ｎ＝２を紐付け、第３点灯ボタン７３に対応する緑色光に順番ｎ＝３を紐付ける。情報処理部６１は、赤色光、紫色光、及び、緑色光をこの順で紐付けた１サイクルの第２情報を生成する。また、第２情報に応じた再生が行われている場合、どのタイミングでも、選択されていない点灯ボタンが選択されれば、情報処理部６１は、次に若い番号をこの選択された点灯ボタンに付与する。
【００４４】
情報処理部６１は、使用者が操作パネル７を操作することによって、光源５が発する光の、明るさ、色あい、鮮やかさ及び移行期間の少なくともいずれかを示す、後述する第２の値を、記憶部６２に記憶させる。
【００４５】
情報処理部６１は、光の明るさ、光の色あい、光の鮮やかさ、及び、移行期間のいずれかを設定変更する場合において、最後に操作パネル７を操作してから所定期間内に、再度、操作パネル７を操作したか否かを判断する。所定期間以上、操作パネル７の操作が行われなければ、使用者の操作が終了したと考えられる。
【００４６】
情報処理部６１は、光の明るさ、光の色あい、光の鮮やかさ、移行期間のいずれかを設定変更する場合において、所定期間以上操作が行われなければ、現在の設定値を示す表示部１７１に表示された値に確定する。本実施の形態では、所定期間を、例えば３分間に設定しているが、この時間に限定されない。
【００４７】
情報処理部６１は、第２情報に含まれる所定の値を書き換える。ここでいう所定の値とは、光の明るさのレベル、光の色あいのレベル、光の鮮やかさのレベル、移行期間の少なくともいずれかを示し、第１の値又は第２の値である。なお、所定期間以内であるか否かの判断は、時間を計測する計時部を用いて実現する。
【００４８】
情報処理部６１は、第２情報が示す光の色に第１情報が示す光の色を混色して第３情報を生成し、第３情報を用いて光源５を発光させる。第３情報の生成について図６Ａ及び図６Ｂを用いて説明する。
【００４９】
図６Ａは、第３情報の生成を例示した説明図である。図６Ｂは、第３情報の生成を例示した別の説明図である。
【００５０】
図６Ａ及び図６Ｂに示すように、情報処理部６１は、照明器具１の操作パネル７によって生成した第２情報と、オプションボックス１５０から取得した第１情報とを混色する。情報処理部６１は、第１情報が示す光の色と第２情報が示す光の色とを混色するに際し、加法混色、減法混色、及びこれらを組み合わせた混色を行う。
【００５１】
第２情報は、光源５が発する光の色を示すｘ個の点で構成されている。第２情報は、３つの点で構成されているがこれに限定されず、２以下の点であってもよく、４以上の点であってもよい。ｘは、１以上の整数である。
【００５２】
図６Ａに示すように、情報処理部６１は、第２情報が示す光の色に第１情報が示す光の色を混色した場合に、第２情報が示すｘ個の点のうちの少なくとも一部の点の位置を変えた第３情報を生成する。具体的には、図６Ａでは第２情報は、色度図におけるＡ１、Ａ２、Ａ３の３つの点で構成されている。第１情報は、色度図におけるＢ１の１つの点で構成されている。点Ｂ１の位置は、点Ａ３の位置と略同一であるとする。この場合、情報処理部６１は、色度図における、少なくとも点Ａ１、Ａ２の２つの点の位置を、点Ｃ１、Ｃ２の位置に移動させ、点Ｃ１、Ｃ２、Ｂ１（＝Ａ３）で構成した第３情報を生成する。ここでいう位置は、色度図における位置であり、光の色を示している。
【００５３】
情報処理部６１は、第１情報が示す点Ｂ１の位置が第２情報の点Ａ３の位置と同一であるため、点Ａ３を移動させず、点Ａ３に近づくように点Ａ１、Ａ２を点Ｃ１、Ｃ２に移動させる。こうして、情報処理部６１は、第１情報に応じて第２情報を変化させた第３情報を生成する。
【００５４】
また、図６Ｂに示すように、情報処理部６１は、第２情報が示す光の色に第１情報が示す光の色を混色した場合に、第２情報が示すｘ個の点の数を変えた第３情報を生成する。具体的には、図６Ｂでも第２情報は、色度図におけるＡ１、Ａ２、Ａ３の３つの点で構成されている。第１情報は、色度図におけるＤ１、Ｄ２の２つの点で構成されている。点Ｄ２の位置は、点Ａ３の位置と同一であるとする。この場合、情報処理部６１は、色度図における、少なくとも点Ａ１、Ａ２の位置を、点Ｅ１、Ｅ２の位置に移動させ、点Ｅ１、Ｅ２、Ｄ１、Ｄ２（＝Ａ３）で構成した第３情報を生成する。ここでいう位置は、色度図における位置であり、光の色を示している。
【００５５】
情報処理部６１は、第１情報が示す点Ｄ２の位置が第２情報の点Ａ３の位置と同一であるため、点Ａ３を移動させず、点Ａ３に近づくように点Ａ１、Ａ２を点Ｅ１、Ｅ２に移動させる。また、情報処理部６１は、点Ｄ１の位置が示す色の光を、光源５に出射させるため、点Ｄ１の位置をそのままにする。こうして、情報処理部６１は、第１情報に応じて第２情報を変化させた第３情報を生成する。情報処理部６１は、生成した第３情報を記憶部６２に格納する。このことから、第１情報、第２情報及び第３情報は、色度図における光源５が発する光の色を特定させる色の変化のシーケンスを示す。この照明器具１では、生成された第３情報によって、光源５が発する光の色を変化させる。
【００５６】
なお、図６Ａ及び図６Ｂにおいて、色度図における第１情報、及び第２情報は一例であり、これには限定されない。
【００５７】
図４に示すように、記憶部６２は、操作パネル７から入力された、光源５が発する光の色を示す第２情報を格納する。また、記憶部６２は、情報処理部６１が生成した第３情報を格納する。記憶部６２は、例えば、半導体メモリ又はハードディスク装置を用いて構成される。記憶部６２は、当該照明器具１の電源がＯＦＦされた状態でも、第２情報を保持する。
【００５８】
エフェクト制御部６３は、光源５の発光素子５２の点灯態様である、少なくとも光源５が発する光の色を制御する。つまり、エフェクト制御部６３は、記憶された第２情報が示す順番に応じた色で光源５が発する光の色を変化させる。
【００５９】
また、エフェクト制御部６３は、さらに、光源５が発する光の、明るさ、色あい、鮮やかさ及び移行期間の少なくともいずれかを示す第１の値を制御する。使用者が操作パネル７を操作することによって、第１の値から第２の値に変更された場合、エフェクト制御部６３は、第２の値に基づいて光源５の発する光を変化させる。
【００６０】
第１の値は、例えば、変更前の、光の第１の明るさ、光の第１の色あい、光の第１の鮮やかさ、第１の移行期間を示す。第２の値は、第１の値と異なり、例えば、変更後の、光の第２の明るさ、光の第２の色あい、光の第２の鮮やかさ、第２の移行期間を示す。
【００６１】
エフェクト制御部６３は、例えば、光源５が発する光の第１の明るさを第２の明るさにする場合、第２の値に合わせて光源５が発する光の調光制御を行う。また、エフェクト制御部６３は、光源５が発する光の第１の色あいを第２の色あいにする場合、第２の値に合わせて光源５が発する光の調色制御を行う。さらに、エフェクト制御部６３は、光源５が発する光の第１の鮮やかさを第２の鮮やかさにする場合、第２の値に合わせて光源５が発する光を制御する。
【００６２】
エフェクト制御部６３は、光源５の発する光の色を、第１の色から第２の色に所定の移行期間をかけて連続的に変化させる。操作パネル７の操作によって、エフェクト制御部６３は、操作に応じた移行期間を設定する。操作パネル７を操作することによって、１サイクルに掛かる再生時間も、適宜設定変更される。
【００６３】
取得部６４は、オプションボックス１５０から、第１情報を取得する。取得部６４は、第１情報を情報処理部６１に出力する。取得部６４は、通信インターフェイスであり、ジョイントボックス１３０を介してオプションボックス１５０と電気的に接続されている。
【００６４】
当該照明器具１では、電源がＯＦＦされた状態でも、第２情報及び第３情報を保持し、再度、電源がＯＮされた状態になると、第２情報及び第３情報に応じて記憶した順番で光源５の色を変化させる。つまり、一度第２情報及び第３情報が生成されれば、照明器具１の電源がＯＦＦになっても、第２情報及び第３情報は失われない。
【００６５】
制御部６は、操作パネル７を操作している最中に、光源５を発光させ、かつ、操作パネル７からの指示に基づいた第２情報を記憶部６２に格納する。具体的には、エフェクト制御部６３は、使用者が点灯ボタンを操作している最中に、操作された点灯ボタンに応じた色が選択された順番で光源５を発光させ、設定された明るさで光源５を発光させ、かつ、情報処理部６１が操作パネル７の操作に応じた第２情報を、記憶部６２に格納する。このことから、制御部６では、第２情報の記憶と光源５の点灯とを平行して行う。
【００６６】
操作パネル７は、照明器具１の点灯態様を設定することができるパネルであり、つまり、光源５が発する光の色を入力するパネルである。操作パネル７は、光源５を複数の色の光で発光させるために使用者が操作する、複数の色に一対一で対応した複数のボタン（本実施の形態では第１点灯ボタン７１〜第７点灯ボタン７７）を有する。操作パネル７は、光源５が発する光の色を制御する指示を制御部６に与える。操作パネル７は、入力部の一例である。
【００６７】
操作パネル７は、複数の点灯ボタンと、表示部１７１と、２つのレベル設定ボタン１７２と、色あいボタン１７３と、明るさボタン１７４と、鮮やかさボタン１７５と、スピードボタン１７６と、消灯停止点灯再開ボタン１７７とを有する。本実施の形態では、複数の点灯ボタンは、第１点灯ボタン７１〜第７点灯ボタン７７で構成されている。以下、第１点灯ボタン７１〜第７点灯ボタン７７を総称する場合、又は、第１点灯ボタン７１〜第７点灯ボタン７７のうち任意のボタンを示す場合は、点灯ボタンという。
【００６８】
第１点灯ボタン７１は、光源５から赤色光を発するためのボタンである。赤色光は、図５の（ａ）で示される。第２点灯ボタン７２は、光源５から黄色光を発するためのボタンである。黄色光は、図５の（ｂ）で、赤色光と緑色光とにより示される。第３点灯ボタン７３は、光源５から緑色光を発するためのボタンである。緑色光は、図５の（ｃ）で示される。第４点灯ボタン７４は、光源５から水色光を発するためのボタンである。水色光は、図５の（ｄ）で、緑色光と青色光とにより示される。第５点灯ボタン７５は、光源５から青色光を発するためのボタンである。青色光は、図５の（ｅ）で示される。第６点灯ボタンは、光源５から紫色光を発するためのボタンである。紫色光は、図５の（ｆ）で、赤色光と青色光とにより示される。第７点灯ボタン７７は、光源５から白色光を発するためのボタンである。白色光は、図５の（ｇ）で、赤色光と緑色光と青色光とにより示される。第１点灯ボタン７１〜第７点灯ボタン７７は、ボタンの一例である。
【００６９】
レベル設定ボタン１７２は、光源５が発する光の、色あい、明るさ、鮮やかさ、及び、移行期間におけるそれぞれのレベルを変更することができるボタンである。レベル設定ボタン１７２は、光源５が発する光の、色あい、明るさ、及び、鮮やかさにおけるそれぞれの、レベルを上げるボタンと、レベルを下げるボタンとからなる。また、レベル設定ボタン１７２は、レベルを上げるボタンとレベルを下げるボタンとによって、移行期間の時間を変更する。レベル設定ボタン１７２は、ボタンの一例である。
【００７０】
表示部１７１は、光源５が発する光の、色あい、明るさ、鮮やかさ、及び、移行期間を表示するパネルである。表示部１７１は、７セグメントディスプレイ、液晶ディスプレイ等である。
【００７１】
色あいボタン１７３は、現在設定されている第１点灯ボタン７１〜第７点灯ボタン７７に対応する光の色を、設定変更することが可能なボタンである。例えば、第１点灯ボタン７１を例に挙げると、第１ボタンに対応する光の色を、黄色にしたい場合、色あいボタン１７３を選択し、レベル設定ボタン１７２で光の色を変更することができる。この場合、制御部６は、第１ボタンに対応する光の色が黄色であることを、書き換えた第２情報を記憶部６２に格納する。なお、第２点灯ボタン７２〜第７点灯ボタン７７においても同様に、光の色を変更することができる。色あいボタン１７３は、ボタンの一例である。
【００７２】
明るさボタン１７４は、光源５が発する光の明るさを、設定変更することが可能なボタンである。例えば、第１点灯ボタン７１及び第２点灯ボタン７２だけが選択されている場合を例に挙げると、光源５が発する光の明るさを変更したい場合、明るさボタン１７４を選択し、レベル設定ボタン１７２で光の色を変更することで、光源５が発する光の明るさを設定変更することができる。このように、第１点灯ボタン７１及び第２点灯ボタン７２に対応する光源５が発する光の明るさが設定変更された場合、制御部６は、書き換えた第２情報を記憶部６２に格納する。明るさボタン１７４は、ボタンの一例である。
【００７３】
なお、明るさボタン１７４は、光源５が発する全ての光の明るさを同時に設定変更し、各々の点灯ボタンに対応する色の光ごとに対して個別に設定する訳ではない。
【００７４】
鮮やかさボタン１７５は、光源５が発する光の鮮やかさを、設定変更することが可能なボタンであり、中間色を設定するボタンである。例えば、第１点灯ボタン７１を例に挙げると、光源５が発する光の鮮やかさを変更したい場合、鮮やかさボタン１７５を選択し、レベル設定ボタン１７２で光の色を変更することができる。このように、第１点灯ボタン７１に対応する光源５が発する光の鮮やかさが設定された場合、制御部６は、書き換えた第２情報を記憶部６２に格納する。鮮やかさボタン１７５は、ボタンの一例である。
【００７５】
スピードボタン１７６は、１サイクル当たりの期間を設定変更することが可能なボタンである。例えば、第１点灯ボタン７１を例に挙げると、１サイクル当たりの期間を変更したい場合、スピードボタン１７６を選択し、レベル設定ボタン１７２でこの１サイクル当たりの期間を変更する。レベル設定ボタン１７２では、１秒単位、１分単位ごとに、この期間を設定することができる。このように、１サイクル当たりの期間が設定された場合、制御部６は、書き換えた第２情報を記憶部６２に格納する。スピードボタン１７６は、ボタンの一例である。
【００７６】
消灯停止点灯再開ボタン１７７は、記憶部６２に格納された第２情報を再生又は光源５を消灯するためのボタンである。
【００７７】
点灯ボタンのキャンセルについて、一例を挙げて説明する。図７は、第２情報から紫色の光をキャンセルした場合を例示した説明図である。
【００７８】
図７に示すように、第１点灯ボタン７１、第６点灯ボタン７６、及び、第３点灯ボタン７３がこの順で選択されている場合において、第６点灯ボタン７６がさらに選択されると、情報処理部６１は、第６点灯ボタン７６に対応する色の光を点灯させることをキャンセルする。このとき、第１点灯ボタン７１、及び、第３点灯ボタン７３がこの順で選択されていることとなる。この場合、第６点灯ボタン７６がキャンセルされることで、後に選択された第３点灯ボタン７３の順番が１つ繰り上がる。つまり、エフェクト制御部６３は、第１点灯ボタン７１に対応する赤色光、及び、第３点灯ボタン７３に対応する緑色光のこの順で紐付けた１サイクルの第２情報を生成して、生成した第２情報を記憶部６２に格納する。照明器具１では、赤色光と緑色光との間で光の色が連続的に変化しながら、これを繰り返す。なお、あくまでも一例として挙げているため、この例示に限定されない。光の色が連続的に変化とは、図６Ａの色度図における点Ａ１から点Ａ２までの直線上で所定時間をかけて移動するように、光の色が連続して変化することをいう。
【００７９】
透光パネル８は、光源５が発した光が透過する、透光性のパネルである。透光パネル８は、筐体３のＸ軸プラス方向側に配置されている。透光パネル８は、Ｘ軸プラス方向から照明器具１を見た場合に、光源５を覆っている。
【００８０】
電源部は、光源５と電気的に接続された電源回路であり、照明器具１の電源を構成する。電源部は、例えば、プリント回路基板と、プリント回路基板に実装された複数の電子部品とを有する。電源部には、調光回路、昇圧回路等が組み合わされている。
【００８１】
［動作］
次に、本実施の形態における照明器具１の動作について説明する。
【００８２】
図８は、実施の形態に係る照明器具１により第２情報を生成する動作を示すフロー図である。図８では、使用者が照明器具１の照明演出の設定について説明する。
【００８３】
図８に示すように、まず、使用者は、照明器具１に電源をＯＮにして、照明器具１を起動する。使用者は、操作パネル７の点灯ボタンを選択する。制御部６の情報処理部６１は、選択された点灯ボタンに対応する色の光を発する順番を記憶部６２に格納する（Ｓ１）。情報処理部６１は、点灯ボタンに対応する光の色とこの色に紐付けられた順番とからなる第２情報を生成し、生成した第２情報を記憶部６２に格納する。
【００８４】
また、制御部６のエフェクト制御部６３は、選択された点灯ボタンに対応する色で光源５を発光させる（Ｓ１）。制御部６は、点灯ボタンが選択された際に、点灯ボタンに対応する色で光源５を発光させ、これと同時又は略同時に生成した第２情報を記憶部６２に格納する。
【００８５】
次に、使用者は、次の点灯ボタンを選択する。情報処理部６１は、選択された点灯ボタンから情報を取得したか否かで、次の点灯ボタンが選択されたか否かを判断する（Ｓ２）。
【００８６】
次の点灯ボタンが選択されていない場合（Ｓ２でＮＯ）に、情報処理部６１は、ステップＳ２に戻る。
【００８７】
次の点灯ボタンが選択された場合（Ｓ２でＹＥＳ）に、情報処理部６１は、ステップＳ１ですでに選択されている点灯ボタンがさらに押下されたか否かを判断する（Ｓ３）。
【００８８】
すでに選択されている点灯ボタンと同一である場合（Ｓ３でＹＥＳ）に、情報処理部６１は、押下された点灯ボタンに対応する光の色をキャンセルする（Ｓ８）。情報処理部６１は、記憶部６２で記憶している第２情報から、選択された点灯ボタンに対応する光の色をキャンセルし、キャンセルした点灯ボタンに対応する光の色よりも後の順番を、キャンセルした数だけ繰り上げる。情報処理部６１は、キャンセルにより変更された第２情報を記憶部６２に格納する。そして、情報処理部６１は、ステップＳ２に戻る。
【００８９】
すでに選択されている点灯ボタンと同一でない場合（Ｓ３でＮＯ）、すでに選択している点灯ボタンと異なる点灯ボタンが選択されていることを意味するため、情報処理部６１は、順番ｎが上限ｍ以下であるか否かを判断する（Ｓ４）。本実施の形態では、点灯ボタンは７つあるため、設定可能な順番の上限をｍ＝７とする。
【００９０】
順番ｎが上限ｍ以下であれば（Ｓ４でＹＥＳ）、情報処理部６１は、ステップＳ１の順番ｎに１をインクリメントする（Ｓ５）。ここでは、ステップＳ２でＹＥＳの時に、選択された順番ｎ＝２となる。
【００９１】
順番ｎが上限ｍ以下でなければ（Ｓ４でＮＯ）、情報処理部６１は、選択された点灯ボタンがキャンセルされ、キャンセルにより変更された第２情報を記憶部６２に格納する。そして、情報処理部６１は、ステップＳ２に戻る。この場合は、全ての点灯ボタンが選択された状態である。この場合は、選択されている点灯ボタンをキャンセルすれば、点灯ボタンに対応する色の光で発光する順番を入れ替えることができる。なお、全ての点灯ボタンが選択されていなくてもキャンセルすることができ、１つ以上の点灯ボタンが選択されていれば、選択した点灯ボタンをキャンセルすることができる。
【００９２】
次に、情報処理部６１は、ステップＳ５の順番ｎ＝２とステップＳ２で選択された次の点灯ボタンに対応する光の色とを紐付けた情報を、順番ごとに点灯ボタンに対応する色の光で発光させるための、ステップＳ１で記憶した記憶部６２の第２情報を書き換える。書き換えた第２情報は、記憶部６２に格納される（Ｓ６）。
【００９３】
次に、情報処理部６１は、現在の光の色から次の順番の光の色へと、光源５が発する光の色を連続的に変化させる（Ｓ７）。そして、使用者は、次の点灯ボタンを押圧することがあるため、情報処理部６１は、ステップＳ２に戻り同様の処理を行う。
【００９４】
この照明器具１では、点灯ボタンを選択すると、制御部６が第２情報を再生することで、設定した点灯態様の照明を行うことができる。
【００９５】
次に、照明器具１が発する光の色の設定について具体的に説明する。
【００９６】
図９は、実施の形態に係る照明器具１が発する光の色の設定を示すフロー図である。
【００９７】
まず、照明器具１は、第２情報を生成する。使用者が操作パネル７を操作することによって、照明器具１を点灯させる第２情報は、操作パネル７によって生成される。操作パネル７は、生成した第２情報を記憶部６２に格納する（Ｓ２１）。ステップＳ２１は、光の色を入力する工程、及び第２情報を格納する工程に相当する。
【００９８】
次に、照明器具１は、オプションボックス１５０から第１情報を取得する（Ｓ２２）。照明器具１の制御部６は、取得部６４を介して、オプションボックス１５０から第１情報を取得する。ステップＳ２２は、第１情報を取得する工程に相当する。
【００９９】
次に、制御部６の情報処理部６１は、取得部６４を介して取得した第１情報と、記憶部６２に格納されている第２情報とに基づいて第３情報を生成する（Ｓ２３）。つまり、情報処理部６１は、第２情報が示す光の色に第１情報が示す光の色を混色して第３情報を生成する。ステップＳ２３は、第３情報を生成する工程に相当する。
【０１００】
次に、情報処理部６１は、生成した第３情報を記憶部６２に格納する（Ｓ２４）。
【０１０１】
次に、エフェクト制御部６３は、第３情報に基づいて、光源５を発光させる。つまり、エフェクト制御部６３は、第３情報に示される点灯ボタンを選択した順番で、光源５を点灯させる（Ｓ２５）。ステップＳ２５は、光源５を発光させる工程に相当する。そして、制御部６は、この処理を終了する。
【０１０２】
例を挙げて説明すると、使用者が、第１点灯ボタン７１、第６点灯ボタン７６、第３点灯ボタン７３をこの順番でボタンを選択すると、制御部６は、これら点灯ボタンに対応した光の色、赤色、紫色、及び緑色のこの順番の光で光源５を発光させる。また、制御部６は、赤色、紫色、及び緑色のこの順番で光源５に発光させる第２情報を生成し、第２情報を記憶部６２に格納する。そして、エフェクト制御部６３は、光源５の発する光の色を、赤色光から紫色光に所定の移行期間で連続的に変化させ、さらに、紫色光から緑色光に所定の移行期間で連続的に変化させ、さらに、緑色光から赤色光に所定の移行期間で連続的に変化させるという、一連の流れである１サイクルを繰り返す。
【０１０３】
［作用効果］
次に、本実施の形態における照明器具１、照明システム１０及び照明制御方法の作用効果について説明する。
【０１０４】
上述したように、本実施の形態に係る照明器具１は、演出照明を行う照明器具１である。照明器具１は、異なる複数の色の光を発することが可能な光源５と、光源５が発する光の色を制御する制御部６と、光源５が発する光の色を入力する操作パネル７と、外部機器から、第１情報を取得する取得部６４とを備える。また、制御部６は、操作パネル７から入力された、光源５が発する光の色を示す第２情報を格納する。そして、制御部６は、第２情報が示す光の色に第１情報が示す光の色を混色して第３情報を生成し、第３情報を用いて光源５を発光させる。
【０１０５】
これによれば、制御部６は、操作パネル７を介して入力された、光源５が発する光の色を変化させる第２情報を格納する。制御部６は、第２情報が示す光の色に第１情報が示す光の色を混色して第３情報を生成する。このため、照明器具１では、第３情報が示す光の色に応じた演出用の照明を設定することなく、第３情報を自動的に入手することができる。
【０１０６】
したがって、この照明器具１では、演出用の照明を簡易に設定することができる。
【０１０７】
特に、操作パネル７を用いて第３情報を設定することもないため、照明器具１与える負荷を軽減することができる。
【０１０８】
また、本実施の形態に係る照明システム１０は、複数の照明器具１と、複数の照明器具１を制御する制御端末１６０とを備える。
【０１０９】
また、本実施の形態に係る照明システム１０において、制御端末１６０は、第１情報を照明器具１に対して送信する。
【０１１０】
これによれば、照明器具１は簡易に第１情報を取得することができる。これにより、第３情報は、一義的に決定された情報を用いて生成されるのではなく、例えば使用者の感性、好み、周囲の環境等に応じて生成される。
【０１１１】
また、本実施の形態に係る照明制御方法は、演出照明を行う照明制御方法である。照明制御方法は、光源５が発する光の色を入力する工程と、外部機器から、第１情報を取得する工程と、入力された光源５が発する光の色を示す第２情報を格納する工程と、第２情報が示す光の色に第１情報が示す光の色を混色して第３情報を生成する工程と、第３情報を用いて光源５を発光させる工程とを含む。
【０１１２】
これらにおいても、上述と同様の作用効果を奏する。
【０１１３】
また、本実施の形態に係る照明器具１において、操作パネル７は、光源５を複数の色の光で発光させるために使用者が操作する、複数の色に一対一で対応した複数のボタンを含む。そして、制御部６は、色とボタンが選択された順番とを紐付けた第２情報を格納する。
【０１１４】
この構成によれば、制御部６は、複数のボタンを選択することで、色とボタンが選択された順番とを紐付けた第２情報を生成することができる。このため、この照明器具１では、第２情報の設定を簡易に行うことができる。
【０１１５】
また、本実施の形態に係る照明器具１において、第２情報は、光源５が発する光の色を示すｘ個の点で構成される。そして、制御部６は、第２情報が示す光の色に第１情報が示す光の色を混色した場合に、第２情報が示すｘ個の点のうちの少なくとも一部の点の位置を変えた第３情報を生成する。
【０１１６】
この構成によれば、制御部６は、第２情報が示す光の色に第１情報が示す光の色を混色することで、第２情報が示すｘ個の点のうちの少なくとも一部の点の位置を変えた第３情報を生成する。これにより、制御部６は、第１情報及び第２情報と異なる第３情報を生成することができる。このため、演出用の照明を簡易に設定することができる。
【０１１７】
また、本実施の形態に係る照明器具１において、第２情報は、１以上であるｘ種類の光源５が発する光の色を示す情報である。そして、制御部６は、第２情報が示す光の色に第１情報が示す光の色を混色した場合に、第２情報が示すｘ個の点の数を変えた第３情報を生成する。
【０１１８】
この構成によれば、制御部６は、第２情報が示す光の色に第１情報が示す光の色を混色することで、第２情報が示すｘ個の点の数を変えた第３情報を生成する。これにより、制御部６は、第１情報及び第２情報と異なる第３情報を生成することができる。このため、演出用の照明を簡易に設定することができる。
【０１１９】
また、本実施の形態に係る照明器具１において、第１情報は、天候及び季節に予め対応付けた光の色を示す情報である。
【０１２０】
この構成によれば、雨、風、晴れ、曇り、雪等の天候に対応付けられた光の色、及び、春、夏、秋、冬と言った季節に対応付けられた光の色に対応した第１情報に基づいて第２情報を変化させる。このため、天候及び季節に応じた光の色で照明器具１を点灯させる設定を簡易に行うことができる。
【０１２１】
（その他変形例）
以上、本発明に係る照明器具、照明システム及び照明制御方法について、上記の実施の形態に基づいて説明したが、本発明は、上記の実施の形態に限定されるものではない。
【０１２２】
例えば、上記の実施の形態に係る照明器具、照明システム及び照明制御方法では、オプションボックスがテーブルを用いて、天候及び季節に対応した光源が発する光の色を示す第１情報を出力しているが、オプションボックスが単に天候及び季節を示す情報を照明器具に出力してもよい。この場合、照明器具の制御部が天候及び気候に対応した光源が発する光の色を示すテーブルを有し、制御部がテーブルに基づいて、気象センサで検知した天候及び計時部で算出した気候に対応した光源が発する光の色を示す第１情報を生成してもよい。
【０１２３】
また、上記の実施の形態に係る照明器具、照明システム及び照明制御方法では、オプションボックス及び制御端末を適宜変更してもよい。図１０は、変形例に係る照明システム２００を示すブロック図である。図１１は、変形例に係る照明システム３００を示すブロック図である。図１０に示すように、照明システム２００は、制御端末を備えなくてもよい。また、図１１に示すように、照明システム３００は、各々のオプションボックス１５０を各々の照明器具１に接続してもよい。
【０１２４】
また、上記の実施の形態に係る照明器具、照明システム及び照明制御方法において、制御端末は、第１情報を生成することができてもよい。制御端末は、外部装置の一例であってもよい。
【０１２５】
また、上記の実施の形態において、制御部の構成要素の全部又は一部は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサなどのプログラム実行部が、ＨＤＤ（Ｈａｒｄ  Ｄｉｓｋ  Ｄｒｉｖｅ）又は半導体メモリなどの記録媒体に記録されたソフトウェアプログラムを読み出して実行することによって実現されてもよい。
【０１２６】
また、制御部の構成要素は、１つ又は複数の電子回路で構成されてもよい。１つ又は複数の電子回路は、それぞれ、汎用的な回路でもよいし、専用の回路でもよい。
【０１２７】
１つ又は複数の電子回路には、例えば、半導体装置、ＩＣ（Ｉｎｔｅｇｒａｔｅｄ  Ｃｉｒｃｕｉｔ）又はＬＳＩ（Ｌａｒｇｅ  Ｓｃａｌｅ  Ｉｎｔｅｇｒａｔｉｏｎ）などが含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Ｖｅｒｙ  Ｌａｒｇｅ  Ｓｃａｌｅ  Ｉｎｔｅｇｒａｔｉｏｎ）、又は、ＵＬＳＩ（Ｕｌｔｒａ  Ｌａｒｇｅ  Ｓｃａｌｅ  Ｉｎｔｅｇｒａｔｉｏｎ）と呼ばれるかもしれない。また、ＬＳＩの製造後にプログラムされるＦＰＧＡ（Ｆｉｅｌｄ  Ｐｒｏｇｒａｍｍａｂｌｅ  Ｇａｔｅ  Ａｒｒａｙ）も同じ目的で使うことができる。
【０１２８】
また、本発明の全般的又は具体的な態様は、システム、装置、方法、集積回路又はコンピュータプログラムで実現されてもよい。あるいは、当該コンピュータプログラムが記憶された光学ディスク、ＨＤＤ若しくは半導体メモリなどのコンピュータ読み取り可能な非一時的記録媒体で実現されてもよい。また、システム、装置、方法、集積回路、コンピュータプログラム及び記録媒体の任意な組み合わせで実現されてもよい。
【０１２９】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３０】
１  照明器具
５  光源
６  制御部
７  操作パネル（入力部）
１０、２００、３００  照明システム
６４  取得部
７１〜７７  第１点灯ボタン〜第７点灯ボタン（ボタン）
１５０  オプションボックス（外部機器）
１６０  制御端末（外部機器）
１７２  レベル設定ボタン（ボタン）
１７３  色あいボタン（ボタン）
１７４  明るさボタン（ボタン）
１７５  鮮やかさボタン（ボタン）
１７６  スピードボタン（ボタン）
１７７  消灯停止点灯再開ボタン（ボタン）
【図１】
2019160704.tif 000003
【図２】
2019160704.tif 000004
【図３】
2019160704.tif 000005
【図４】
2019160704.tif 000006
【図５】
2019160704.tif 000007
【図６Ａ】
2019160704.tif 000008
【図６Ｂ】
2019160704.tif 000009
【図７】
2019160704.tif 000010
【図８】
2019160704.tif 000011
【図９】
2019160704.tif 000012
【図１０】
2019160704.tif 000013
【図１１】
2019160704.tif 000014